(57)【要約】【課題】  従来の充電装置では、ファームウェアをデジタルカメラにアップロードしている途中に電源が遮断されると、アップロードが失敗し、デジタルカメラが故障する。【解決手段】  最新のファームウェアがカメラ４に記憶されていないことが、Ｓ２３の処理で判定され、かつ、バックアップ電源１２の電力残量が、最新のファームウェアをカメラ４に送信するのに足りるとＳ２５の処理で判定された場合、カメラ４へ最新のファームウェアを送信する処理が行われる。また、外部電源３から電力が供給されなくなった場合、外部電源３の代わりにバックアップ電源１２からクレードル１に電力の供給が行われる。このため、ファームウェアをクレードル１からカメラ４へ送信中に、外部電源３からクレードル１への電力の供給が途絶えても、外部電源３の代わりにバックアップ電源１２によりクレードル１への電力の供給が行われ、データ送信は中断されない。【選択図】  図３
2012010159.tif 000002
【特許請求の範囲】
【請求項１】
主電源から電力が供給されなくなった場合、主電源の代わりにバックアップ電源から電力の供給をするバックアップ電源制御手段と、
接続端子を介して電気的に接続された電子機器へ所定のデータを送信する送信手段と、
前記データが前記電子機器に既に記憶されているか否かを判定する最新データ判定手段と、
前記バックアップ電源の電力残量が、前記データを前記送信手段によって前記電子機器へ送信するのに足りるか否か判定する電力残量判定手段と、
前記最新データ判定手段により、前記データが前記電子機器に記憶されていないことが判定され、かつ、前記電力残量判定手段により、前記バックアップ電源の電力残量が、前記データを前記電子機器に送信するのに足りると判定された場合、前記送信手段により前記電子機器へ前記データを送信する処理を行わせる送信制御手段と
を備える前記電子機器に接続される周辺機器。
【請求項２】
請求項１に記載の周辺機器において、
前記接続端子を介して電気的に接続された前記電子機器と周辺機器とを機械的に互いに係合するロック機構と、
前記接続端子を介して電気的に接続されている前記電子機器への前記データの送信を前記送信制御手段により行わせる場合、前記ロック機構を作動させて前記電子機器と周辺機器とを機械的に互いに係合させるロック制御手段とを備えることを特徴とする周辺機器。
【請求項３】
請求項１または請求項２に記載の周辺機器において、
前記電子機器は内蔵電源を備え、
前記電力残量判定手段は、前記バックアップ電源と前記内蔵電源との電力残量の和が、前記データを前記送信手段によって電子機器へ送信するのに足りるか否か判定することを特徴とする周辺機器。
【請求項４】
請求項１から請求項３のいずれか１項に記載の周辺機器において、
前記データを記憶する記憶手段を備え、
前記送信手段は、前記記憶手段に記憶された前記データを前記電子機器へ送信することを特徴とする周辺機器。
【請求項５】
請求項１から請求項３のいずれか１項に記載の周辺機器において、
前記送信手段は、接続端子を介して電気的に接続されたパーソナルコンピュータから受信した前記データを前記電子機器へ送信することを特徴とする周辺機器。
【請求項６】
請求項１から請求項３のいずれか１項に記載の周辺機器において、
前記主電源は、配電線を介して接続される商用交流電源であり、
前記送信手段は、前記配電線を介して受信した前記データを前記電子機器へ送信することを特徴とする周辺機器。
【請求項７】
請求項１から請求項６のいずれか１項に記載の周辺機器において、
前記電子機器を充電する充電手段を備えることを特徴とする周辺機器。
【請求項８】
主電源から電力が供給されなくなった場合、主電源の代わりにバックアップ電源から電力の供給をするバックアップ電源制御手順と、
接続端子を介して電気的に接続された電子機器へ所定のデータを送信する送信手順と、
前記データが前記電子機器に既に記憶されているか否かを判定する最新データ判定手順と、
前記バックアップ電源の電力残量が、前記データを前記送信手順によって前記電子機器へ送信するのに足りるか否か判定する電力残量判定手順と、
前記最新データ判定手順により、前記データが前記電子機器に記憶されていないことが判定され、かつ、前記電力残量判定手順により、前記バックアップ電源の電力残量が、前記データを前記電子機器に送信するのに足りると判定された場合、前記送信手順により前記電子機器へ前記データを送信する処理を行わせる送信制御手順と
をコンピュータに実行させるためのプログラム。
【請求項９】
請求項８に記載のプログラムを記録したコンピュータ読み取り可能な記録媒体。
【発明の詳細な説明】
【技術分野】
【０００１】
本発明は、接続端子を介して電気的に接続された電子機器へデータを送信する周辺機器、及びこの周辺機器から送信されるデータの送信制御をコンピュータに実行させるためのプログラム、並びにこのプログラムを記録したコンピュータ読み取り可能な記録媒体に関する。
【背景技術】
【０００２】
従来、この種の周辺機器としては、例えば、特許文献１に開示されたデジタルカメラの充電装置がある。この充電装置は、商用交流電源を通信媒体とするデータ通信を利用して、デジタルカメラの充電中に、所定のサービス提供サイトからデジタルカメラのファームウェアをダウンロードする。そして、ダウンロードしたファームウェアをデジタルカメラにアップロードすることにより、デジタルカメラに記憶されているファームウェアを最新のものに入れ替える。
【先行技術文献】
【特許文献】
【０００３】
【特許文献１】特開２００７−１５０９０８号公報
【発明の概要】
【発明が解決しようとする課題】
【０００４】
しかしながら、上記従来の充電装置では、ファームウェアをデジタルカメラにアップロードしている途中に停電等が発生して電源が遮断されると、デジタルカメラへのファームウェアのアップロードが失敗し、デジタルカメラが故障する恐れがある。
【課題を解決するための手段】
【０００５】
本発明はこのような課題を解決するためになされたもので、
主電源から電力が供給されなくなった場合、主電源の代わりにバックアップ電源から電力の供給をするバックアップ電源制御手段と、
接続端子を介して電気的に接続された電子機器へ所定のデータを送信する送信手段と、
データが電子機器に既に記憶されているか否かを判定する最新データ判定手段と、
バックアップ電源の電力残量が、データを送信手段によって電子機器へ送信するのに足りるか否か判定する電力残量判定手段と、
最新データ判定手段により、データが電子機器に記憶されていないことが判定され、かつ、電力残量判定手段により、バックアップ電源の電力残量が、データを電子機器に送信するのに足りると判定された場合、送信手段により電子機器へデータを送信する処理を行わせる送信制御手段と
を備えて、電子機器に接続される周辺機器を構成した。
【０００６】
また、本発明は、
主電源から電力が供給されなくなった場合、主電源の代わりにバックアップ電源から電力の供給をするバックアップ電源制御手順と、
接続端子を介して電気的に接続された電子機器へ所定のデータを送信する送信手順と、
データが電子機器に既に記憶されているか否かを判定する最新データ判定手順と、
バックアップ電源の電力残量が、データを送信手順によって電子機器へ送信するのに足りるか否か判定する電力残量判定手順と、
最新データ判定手順により、データが電子機器に記憶されていないことが判定され、かつ、電力残量判定手順により、バックアップ電源の電力残量が、データを電子機器に送信するのに足りると判定された場合、送信手順により電子機器へデータを送信する処理を行わせる送信制御手順と
をコンピュータに実行させるためのプログラム、及びこのプログラムを記録したコンピュータ読み取り可能な記録媒体を構成した。
【発明の効果】
【０００７】
本発明によれば、所定のデータが途中までしか電子機器に送信されないことにより発生する電子機器の故障を防げる周辺機器、及びプログラム並びにこのプログラムを記録した記録媒体を提供することができる。
【図面の簡単な説明】
【０００８】
【図１】本発明の一実施の形態によるクレードルの電気回路構成の概略を示すブロック図である。
【図２】図１に示すクレードルのＣＰＵによって行われる、パソコンからクレードル内にファームウェアをダウンロードして、カメラのファームウェアを更新する処理の概略を示すフローチャートである。
【図３】図２に示すフローチャートにおける、カメラ内のファームウェアの更新処理の詳細を示すフローチャートである。
【発明を実施するための形態】
【０００９】
次に、本発明による周辺機器、及びプログラム並びにこのプログラムを記録した記録媒体を、カメラの周辺機器を構成する、カメラを充電するクレードルに適用した場合における、本発明を実施するための一形態について説明する。
【００１０】
図１は、この一実施形態によるクレードル１の電気回路構成の概略を示すブロック図である。
【００１１】
クレードル１は、その内部に、ＰＣ通信Ｉ/Ｆ（インターフェイス）１１、バックアップ電源１２、入力電源切替部１３、ファームウェア格納領域１４、ＣＰＵ（中央演算処理部）１５、カメラ充電制御部１６、カメラ通信Ｉ/Ｆ１７、およびカメラロック部１８を備えている。接続端子を構成するＰＣ通信Ｉ/Ｆ１１には、不図示のネットワークを介してサーバと接続されているＰＣ（パーソナルコンピュータ（以下パソコンと記す））２が電気的に接続されている。また、接続端子を構成するカメラ通信Ｉ/Ｆ１７には、クレードル１によって充電される、電子機器を構成するカメラ４が接続されている。クレードル１は、外部電源３に電気的に接続されている。外部電源３は、配電線を介して接続される商用交流電源を構成し、クレードル１の主電源を構成する。外部電源３の電力は、入力電源切替部１３を介してカメラ充電制御部１６に供給される。カメラ充電制御部１６は、カメラ４を充電する充電手段を構成し、供給された電力を用いて、カメラ４の内蔵電源である内蔵電池を充電する。
【００１２】
また、クレードル１は、外部電源３から電源供給を受けて動作する。停電等により、外部電源３から電力が供給されなくなった場合、入力電源切替部１３の切り替えにより、クレードル１は、外部電源３の代わりに、２次電池などで構成されるバックアップ電源１２から電力が供給されて動作する。入力電源切替部１３は、ＣＰＵ１５の動作制御プログラムによって規定されるバックアップ電源制御手順に従い、外部電源３から電力が供給されなくなった場合、外部電源３の代わりにバックアップ電源１２から電力の供給をするバックアップ電源制御手段を構成する。
【００１３】
ＣＰＵ１５は、カメラ４の動作を制御するプログラムであるファームウェアのデータ自動更新機能を備えており、ネットワークの所定のサーバからパソコン２およびＰＣ通信Ｉ/Ｆ１１を介してクレードル１に最新のファームウェアをダウンロードする。クレードル１にダウンロードされたファームウェアは、例えばフラッシュメモリなどで構成されるファームウェア格納領域１４に記憶される。なお、ファームウェアを自動更新する構成ではなく、ファームウェアをユーザが手動で更新する構成にしてもよい。また、ＣＰＵ１５は、カメラ４に記憶された画像、動画等のデータをカメラ通信Ｉ/Ｆ１７を介してクレードル１に受信し、ファームウェア格納領域１４に記憶してＰＣ通信Ｉ/Ｆ１１を介してパソコン２へ転送したり、逆に、パソコン２に記憶された画像、動画等のデータをＰＣ通信Ｉ/Ｆ１１を介してクレードル１に受信し、ファームウェア格納領域１４に記憶してカメラ通信Ｉ/Ｆ１７を介してカメラ４へ転送する転送機能を備えている。ファームウェア格納領域１４は、所定のデータを記憶する記憶手段を構成する。
【００１４】
また、ＣＰＵ１５は、ＣＰＵ１５の動作制御プログラムによって規定される送信手順に従い、ＰＣ通信Ｉ/Ｆ１１を介して電気的に接続されたパソコン２から受信して、ファームウェア格納領域１４に記憶したデータを、カメラ通信Ｉ/Ｆ１７を介してカメラへ送信する送信手段を構成する。また、ＣＰＵ１５は、カメラ４またはパソコン２から受信してファームウェア格納領域１４に記憶したデータをパソコン２またはカメラ４へ送信する送信手段を構成する。また、クレードル１は、カメラ通信Ｉ/Ｆ１７を介して電気的に接続されたカメラ４とクレードル１とを機械的に互いに係合する、不図示のロック機構を備えている。カメラロック部１８は、カメラ通信Ｉ/Ｆ１７を介して電気的に接続されているカメラ４へのデータの送信がＣＰＵ１５により行われる場合、ロック機構を作動させてカメラ４とクレードル１とを機械的に互いに係合させるロック制御手段を構成する。
【００１５】
ＣＰＵ１５は、ＣＰＵ１５の動作制御プログラムによって規定される最新データ判定手順に従い、所定のデータがカメラ４またはパソコン２に既に記憶されているか否かを判定する最新データ判定手段を構成する。また、ＣＰＵ１５は、ＣＰＵ１５の動作制御プログラムによって規定される電力残量判定手順に従い、バックアップ電源１２の電力残量が、所定のデータを送信手段によってカメラ４またはパソコン２へ送信するのに足りるか否か判定する電力残量判定手段を構成する。また、ＣＰＵ１５は、ＣＰＵ１５の動作制御プログラムによって規定される送信制御手順に従い、最新データ判定手段により、所定のデータがカメラ４またはパソコン２に記憶されていないことが判定され、かつ、電力残量判定手段により、バックアップ電源１２の電力残量が、所定のデータをカメラ４またはパソコン２に送信するのに足りると判定された場合、送信手段によりカメラ４またはパソコン２へデータを送信する処理を行わせる送信制御手段を構成する。
【００１６】
本実施形態のＣＰＵ１５に上記各手順を実行させるための動作制御プログラムは、ファームウェア格納領域１４にインストールされており、このファームウェア格納領域１４は、本実施形態の動作制御プログラムを記録したコンピュータ読み取り可能な記録媒体を構成する。本実施形態の動作制御プログラムをファームウェア格納領域１４に記録して、このファームウェア格納領域１４に記録された本実施形態の動作制御プログラムをクレードル１内に構成されるコンピュータシステムに読み込ませることにより、本実施形態の動作制御プログラムが実行される。ここで、コンピュータシステムとはＯＳ（Operating System）や、周辺機器のハードウェアを含むものとする。また、コンピュータ読み取り可能な記録媒体は、コンピュータシステムに内蔵されるファームウェア格納領域１４等の記憶装置に限定されず、フレキシブルディスク、光磁気ディスク、光ディスク、およびメモリカード等の可搬型記録媒体であってもよい。また、コンピュータ読み取り可能な記録媒体は、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持するものであってもよい。
図２は、クレードル１のＣＰＵ１５によってカメラ４を充電する処理と共に行われる、パソコン２からクレードル１内にファームウェアをダウンロードして、カメラ４のファームウェアを更新する処理の概略を示すフローチャートである。
【００１７】
ＣＰＵ１５は、ステップ（以下、Ｓと記す）１において、クレードル１がパソコン２と接続されているか否かを判別する。クレードル１がパソコン２と接続されており、Ｓ１の判別が“ＹＥＳ”の場合、ＣＰＵ１５は、Ｓ２において、パソコン２内のファームウェアのバージョンとクレードル１内のファームウェア格納領域１４に記憶されたファームウェアのバージョンとを比較する。そして、Ｓ３において、パソコン２内のファームウェアのバージョンとクレードル１内のファームウェアのバージョンとに相違があるか否かを判別する。クレードル１内のファームウェアが最新のものではなく、パソコン２内のファームウェアのバージョンとクレードル１内のファームウェアのバージョンとに相違があり、Ｓ３の判別が“ＹＥＳ”の場合、ＣＰＵ１５は、Ｓ４において、パソコン２内のファームウェアをクレードル１内のファームウェア格納領域１４にダウンロードする。
【００１８】
クレードル１がパソコン２と接続されておらず、Ｓ１の判別が“ＮＯ”の場合、または、クレードル１内のファームウェアが最新のものであり、パソコン２内のファームウェアのバージョンとクレードル１内のファームウェアのバージョンとに相違がなく、Ｓ３の判別が“ＮＯ”の場合、または、Ｓ４の処理の後、ＣＰＵ１５は、Ｓ５において、バックアップ電源１２の電力残量が十分にあるかを調べる。そして、Ｓ６において、バックアップ電源１２の電力残量が十分でない場合、バックアップ電源１２を充電する充電処理を行う。
【００１９】
次に、ＣＰＵ１５は、Ｓ７において、クレードル１がカメラ４と接続されているか否かを判別する。クレードル１がカメラ４と接続されており、Ｓ７の判別が“ＹＥＳ”の場合、ＣＰＵ１５は、Ｓ８において、カメラ４内のバッテリ（内蔵電池）の電力残量が十分にあるかを調べる。そして、Ｓ９において、カメラ４内のバッテリの電力残量が十分でない場合、カメラ４内のバッテリを充電する充電処理を行う。次に、ＣＰＵ１５は、Ｓ１０において、カメラ４内のメモリに未転送の画像があるかどうかを調べ、Ｓ１１において、カメラ内のメモリに未転送の画像がある場合、未転送の画像をパソコン２内のメモリに転送する画像転送処理を行う。
【００２０】
クレードル１がカメラ４と接続されておらず、Ｓ７の判別が“ＮＯ”の場合、または、Ｓ１１の処理の後、ＣＰＵ１５は、Ｓ１２において、後述するカメラ４内のファームウェアの更新処理を行い、処理を終了する。
【００２１】
図３は、図２に示すフローチャートにおける、Ｓ１２の、カメラ４内のファームウェアの更新処理の概略を示すフローチャートである。
【００２２】
ＣＰＵ１５は、Ｓ２１において、クレードル１がカメラ４と接続されているか否かを判別する。クレードル１がカメラ４と接続されておらず、Ｓ２１の判別が“ＮＯ”の場合、ＣＰＵ１５は、カメラ４内のファームウェアの更新処理を終了する。
【００２３】
一方、クレードル１がカメラ４と接続されており、Ｓ２１の判別が“ＹＥＳ”の場合、ＣＰＵ１５は、Ｓ２２において、カメラ４内のファームウェアのバージョンとクレードル１内のファームウェア格納領域１４に記憶されたファームウェアのバージョンとを比較する。そして、Ｓ２３において、カメラ４内のファームウェアのバージョンとクレードル１内のファームウェアのバージョンとに相違があるか否かを判別する。カメラ４内のファームウェアが最新のものであり、カメラ４内のファームウェアのバージョンとクレードル１内のファームウェアのバージョンとに相違がなく、Ｓ２３の判別が“ＮＯ”の場合、ＣＰＵ１５は、カメラ４内のファームウェアの更新処理を終了する。
【００２４】
一方、カメラ４内のファームウェアが最新のものではなく、カメラ４内のファームウェアのバージョンとクレードル１内のファームウェアのバージョンとに相違があり、Ｓ２３の判別が“ＹＥＳ”の場合、ＣＰＵ１５は、Ｓ２４において、クレードル１のバックアップ電源１２の電力残量を調べ、Ｓ２５において、クレードル１のバックアップ電源１２の電力残量が、最新のファームウェアをカメラ４に送信するのに十分であるか否かを判別する。クレードル１のバックアップ電源１２の電力残量が、最新のファームウェアをカメラ４に送信するのに十分でなく、Ｓ２５の判別が“ＮＯ”の場合、ＣＰＵ１５は、カメラ４内のファームウェアの更新処理を終了する。
【００２５】
一方、クレードル１のバックアップ電源１２の電力残量が、最新のファームウェアをカメラ４に送信するのに十分であり、Ｓ２５の判別が“ＹＥＳ”の場合、ＣＰＵ１５は、カメラロック部１８を制御し、Ｓ２６において、クレードル１とカメラ４とを機械的に互いに係合させてロックする。次に、ＣＰＵ１５は、Ｓ２７において、カメラ４内のファームウェアを書き換えて更新するファームウェア書き換え処理を開始する。次に、ＣＰＵ１５は、Ｓ２８において、カメラ内のファームウェア書き換え処理が終了したか否かを判別する。ファームウェア書き換え処理が終了しておらず、Ｓ２８の判別が“ＮＯ”の場合、ＣＰＵ１５は、ファームウェア書き換え処理を続行する。一方、ファームウェア書き換え処理が終了し、Ｓ２８の判別が“ＹＥＳ”の場合、ＣＰＵ１５は、カメラロック部１８を制御し、Ｓ２９において、クレードル１とカメラ４との機械的な係合によるロックを解除し、カメラ４内のファームウェアの更新処理を終了する。
【００２６】
このような本実施形態によるクレードル１によれば、最新のファームウェアデータがカメラ４に記憶されていないことが図３、Ｓ２３の処理で判定され、かつ、バックアップ電源１２の電力残量が、最新のファームウェアデータをカメラ４に送信するのに足りるとＳ２５の処理で判定された場合、カメラ４へ最新のファームウェアデータを送信する処理がＳ２７およびＳ２８の処理で行われる。また、外部電源３から電力が供給されなくなった場合、外部電源３の代わりにバックアップ電源１２からクレードル１に電力の供給が行われる。このため、ファームウェアデータをＳ２７およびＳ２８の処理でクレードル１からカメラ４へ送信中に、または、画像データを図２、Ｓ１１の処理でカメラ４からパソコン２へ転送中に、停電等が発生して外部電源３からクレードル１への電力の供給が途絶えても、外部電源３の代わりにバックアップ電源１２によりクレードル１への電力の供給が行われるので、所定のデータが途中までしかカメラ４に送信されないことにより発生するカメラ４の故障を防げる。
【００２７】
また、本実施形態によるクレードル１によれば、カメラ通信Ｉ/Ｆ１７を介して電気的に接続されているカメラ４へのデータの送信がＣＰＵ１５により行われる場合、図３、Ｓ２６の処理でカメラロック部１８によりロック機構が作動させられて、カメラ４とクレードル１とが機械的に互いに係合される。このため、クレードル１に電気的に接続されたカメラ４へファームウェア等の所定のデータを送信している途中で、不用意にカメラ４に触れたり、誤ってカメラ４とクレードル１との接続を外そうとしても、カメラ４とクレードル１とはロック機構により機械的に互いに係合されているため、カメラ４とクレードル１との電気的接続は外れない。このため、カメラ４にデータを送信している途中で、カメラ４とクレードル１との電気的接続が外れてしまい、所定のデータが途中までしかカメラ４に送信されないことにより発生するカメラ４の故障を防げる。
【００２８】
また、本実施形態によるクレードル１によれば、ＰＣ通信Ｉ/Ｆ１１を介して電気的に接続されたパソコン２から受信されたデータが、ＣＰＵ１５によりカメラ４へ送信される。このため、クレードル１に接続されたパソコン２を介して最新のファームウェア等の所定のデータを取得して、ＣＰＵ１５によりカメラ４へ送信することができる。
【００２９】
また、本実施形態によるクレードル１によれば、最新のファームウェア等の所定のデータをファームウェア格納領域１４に予め記憶しておき、適宜、ファームウェア格納領域１４に記憶されたデータを送信手段によりカメラ４へ送信することができる。
【００３０】
また、本実施形態では、カメラ充電制御部１６によってカメラ４を充電するクレードル１が、カメラ４へ所定のデータを送信する機能も兼ねるため、利便性の高い周辺機器が提供される。
【００３１】
なお、本実施形態では、送信手段を構成するＣＰＵ１５が、パソコン２から受信したデータをカメラ４へ送信する構成であったが、外部電源３の配電線を介して配電線搬送方式により受信したデータをカメラ４へ送信する構成にしてもよい。この構成によれば、配電線を介して受信されたデータがＣＰＵ１５によりカメラ４へ送信される。このため、配電線を介して最新のファームウェア等の所定のデータを取得して、ＣＰＵ１５によりカメラ４へ送信することができる。
【００３２】
また、本実施形態では、電力残量判定手段を構成するＣＰＵ１５が、クレードル１のバックアップ電源１２の電力残量が、データを送信手段によってカメラ４へ送信するのに足りるか否か判定する構成であったが、クレードル１のバックアップ電源１２とカメラ４の内蔵電池との電力残量の和が、データを送信手段によってカメラ４へ送信するのに足りるか否か判定する構成にしてもよい。この構成によれば、クレードル１のバックアップ電源１２とカメラ４の内蔵電池との電力残量の和に基づいて、所定のデータを送信手段によってカメラ４へ送信する電力が足りるか否かが、電力残量判定手段により判定される。このため、クレードル１のバックアップ電源１２に残っている電力量が、カメラ４へデータを送信するのに不十分な場合でも、カメラ４の内蔵電池の電力を利用して、所定のデータの全てをクレードル１からカメラ４へ、またはクレードル１からパソコン２へ送信することができ、データが途中までしかカメラ４またはパソコン２に送信されないことにより発生するカメラ４またはパソコン２の故障を防げる。
【産業上の利用可能性】
【００３３】
上記実施形態では、クレードル１と接続する電子機器は、カメラ４であったが、撮影画像を表示するビューアーや、携帯電話機、携帯型の音楽再生器などであってもよい。また、上記実施形態においては、本発明による周辺機器をクレードル１に適用した場合について説明したが、他の電子機器の周辺機器にも適用することが可能である。
【符号の説明】
【００３４】
１…クレードル
２…パソコン
３…外部電源
４…カメラ
１１…ＰＣ通信Ｉ/Ｆ
１２…バックアップ電源
１３…入力電源切替部
１４…ファームウェア格納領域
１５…ＣＰＵ
１６…カメラ充電制御部
１７…カメラ通信Ｉ/Ｆ
１８…カメラロック部
【図１】
2012010159.tif 000003
【図２】
2012010159.tif 000004
【図３】
2012010159.tif 000005